(57)【特許請求の範囲】
【請求項１】
封入装置が本体部に備える処理室の前面開口部を開閉すべく設置される昇降サッシ窓は、左右に配置される縦サッシ枠と上下に配置される横サッシ枠とで画成される囲枠内に、少なくとも一方の前記縦サッシ枠側に一方の縦辺部を位置させて配置される一方の引違い戸と、該引違い戸の他方の縦辺部側とその一方の縦辺部側とが対面する２枚重ね部を形成して配置される他方の引違い戸とを具備させて形成され、
前記昇降サッシ窓を下限位置にまで引き下げた際には全閉状態にある前記引違い戸相互における前記２枚重ね部側に対するロック状態の自動解除と前記前面開口部の縦枠側に対する前記昇降サッシ窓自体の自動ロックとが行われ、前記引違い戸が全閉状態となっているときにのみ前記縦枠側に対するロック状態の自動解除と前記２枚重ね部側に対する自動ロックとを行って下限位置からの引き上げを可能とする交互ロック機構を前記昇降サッシ窓に具備させたことを特徴とする開閉規制機能付き昇降サッシ窓。
【請求項２】
前記交互ロック機構は、全閉状態にある引違い戸の前記２枚重ね部の近傍位置を始端側としてその終端側が一方の前記縦サッシ枠側へと至る長さを備えて下側に位置する前記横サッシ枠上に横移動可能に配設される連結杆と、
該連結杆の前記始端側と隣り合う近傍位置の前記横サッシ枠上に固定配置される固定片部と、該固定片部側にその基端部が軸支された一側可動腕部と、連結杆の前記始端側にその基端部が軸支された他側可動腕部との交差部を軸支してそれぞれの頂端部側を基台部に軸支させ、該基台部の頂面に前記２枚重ね部側の一方の引違い戸の下端面に設けられた凹部と他方の引違い戸の下端面に設けられた凹部とへの全閉時の掛止を可能に設けられた一対の突起部とを備えてなる引違い戸用ロック手段と、
連結杆の前記終端側にその長さ方向に沿わせての回動を自在に軸支された回動体と、該回動体を前記連結杆を介して前記縦枠方向に常時突出付勢されて前記昇降サッシ窓が下限に位置するときにのみ前記縦枠側に設けられている凹部への前記回動体の入り込みを可能とした押圧付勢部とを備えてなる昇降サッシ窓用ロック手段とで少なくとも構成される請求項１に記載の開閉規制機能付き昇降サッシ窓。
【請求項３】
請求項１または２に記載の交互ロック機構を具備させた前記昇降サッシ窓により処理室の前記前面開口部の開閉を可能としたことを特徴とする封入装置。
【発明の詳細な説明】
【技術分野】
【０００１】
本発明は、ドラフトチャンバーなどの封入装置に好適な開閉規制機能付き昇降サッシ窓およびこれを具備させた封入装置に関する技術である。
【背景技術】
【０００２】
ドラフトチャンバーや卓上フードなどの封入装置は、研究所などにおける実験室で各種の化学実験を安全裡に行う上で必要とされる装置であり、その本体部が備える処理室の前面開口部は、昇降自在に配設された昇降サッシ窓により開閉できるようになっている。
【０００３】
そして、前記封入装置は、昇降サッシ窓の開度を規制した状態のもとで陰圧雰囲気となるように空気引きすることで、実験中に処理室内で発生する有毒ガスなどを含む内部空気を他所に設置されている排気ガス洗浄装置等の浄化処理手段側へと円滑に導出することができるようになっている。
【０００４】
このような用途に供されるドラフトチャンバーなどの封入装置に配設される昇降サッシ窓は、例えば左右一対のワイヤーや吊りベルトなどで構成される吊持手段の一端側と連結され、プーリーを介した他端側にバランス錘を連結することで、作業中にはこれを引き上げて処理室の前面開口部を適宜の開度のもとで開状態を維持させ、実験時や不使用時には引き下げて前面開口部を全閉状態にしておくことができるようになっている。
【０００５】
ところで、封入装置が備える昇降サッシ窓には、１枚の透明ガラスなどからなる透明板を単体で囲枠材に保持させて形成されているもののほか、例えば特許文献１に開示されているように、複数枚の透明板を枠材に各別に保持させてなる引違い戸を左右方向への移動を可能に配設することでその全体が形成されているものもある。
【先行技術文献】
【特許文献】
【０００６】
【特許文献１】特許第３５５３３５５号公報
【０００７】
すなわち、特許文献１に記載のドラフトチャンバー（封入装置）が備える昇降サッシ窓は、複数枚の透明板を各枠材に個別に保持させてなる引違い戸を左右方向に移動できるように形成されているので、昇降サッシ窓自体を上昇させて確保される前面開口部を介して作業を行ったり、昇降サッシ窓を下限に位置させた状態のもとで個々の引違い戸を移動させて確保される前面開口部を介して作業を行ったりすることもできることになる。
【発明の概要】
【発明が解決しようとする課題】
【０００８】
しかし、特許文献１に開示されているように引違い戸を単に左右方向に移動できるようにして昇降サッシ窓が形成されている場合には、引違い戸を作業者が誤って開けたままにした状態でも昇降サッシ窓自体を昇降させることができることになるので、昇降サッシ窓の開度に応じた設計上の風量と実際の風量との間の調整が困難となる結果、封入装置自体の能力の保証が難しくなるという不都合があった。
【０００９】
本発明は、従来技術の上記課題に鑑み、引違い戸を備えてなる昇降サッシ窓の全体を下限位置にまで引き下げない限り引違い戸側の開移動ができず、引違い戸側を全閉移動させない限り昇降サッシ窓自体を引き上げることができない開閉規制機能付き昇降サッシ窓およびこれを具備させた封入装置を提供することに目的がある。
【課題を解決するための手段】
【００１０】
本発明は、上記目的を達成すべくなされたものであり、そのうちの第１の発明（昇降サッシ窓）は、封入装置が本体部に備える処理室の前面開口部を開閉すべく設置される昇降サッシ窓は、左右に配置される縦サッシ枠と上下に配置される横サッシ枠とで画成される囲枠内に、少なくとも一方の前記縦サッシ枠側に一方の縦辺部を位置させて配置される一方の引違い戸と、該引違い戸の他方の縦辺部側とその一方の縦辺部側とが対面する二枚重ね部を形成して配置される他方の引違い戸とを具備させて形成され、前記昇降サッシ窓を下限位置にまで引き下げた際には全閉状態にある前記引違い戸相互における前記二枚重ね部側に対するロック状態の自動解除と前記前面開口部の縦枠側に対する前記昇降サッシ窓自体の自動ロックとが行われ、前記引違い戸が全閉状態となっているときにのみ前記縦枠側に対するロック状態の自動解除と前記二枚重ね部側に対する自動ロックとを行って下限位置からの引き上げを可能とする交互ロック機構を前記昇降サッシ窓に具備させたことを最も主要な特徴とする。
【００１１】
この場合、前記交互ロック機構は、全閉状態にある引違い戸の前記二枚重ね部の近傍位置を始端側としてその終端側が一方の前記縦サッシ枠側へと至る長さを備えて下側に位置する前記横サッシ枠上に横移動可能に配設される連結杆と、該連結杆の前記始端側と隣り合う近傍位置の前記横サッシ枠上に固定配置される固定片部と、該固定片部側にその基端部が軸支された一側可動腕部と、連結杆の前記始端側にその基端部が軸支された他側可動腕部との交差部を軸支してそれぞれの頂端部側を基台部に軸支させ、該基台部の頂面に前記二枚重ね部側の一方の引違い戸の下端面に設けられた凹部と他方の引違い戸の下端面に設けられた凹部とへの全閉時の掛止を可能に設けられた一対の突起部とを備えてなる引違い戸用ロック手段と、連結杆の前記終端側にその長さ方向に沿わせての回動を自在に軸支された回動動体と、該回動体を前記連結杆を介して前記縦枠方向に常時突出付勢されて前記昇降サッシ窓が下限に位置するときにのみ前記縦枠側に設けられている凹部への前記回動体の入り込みを可能とした押圧付勢部とを備えてなる昇降サッシ窓用ロック手段とで構成するのが好ましい。
【００１２】
また、第２の発明（封入装置）は、請求項１または２に記載の交互ロック機構を具備させた前記昇降サッシ窓により処理室の前記前面開口部の開閉を可能としたことを最も主要な特徴とする。
【発明の効果】
【００１３】
本発明によれば、封入装置が本体部に備える処理室の前面開口部を開閉すべく設置される昇降サッシ窓は、下限位置にまで引き下げた際には全閉状態にある引違い戸相互における二枚重ね部側に対するロック状態の自動解除と前記前面開口部の縦枠側に対する前記昇降サッシ窓自体の自動ロックとを行う交互ロック機構を備えているので、前記引違い戸が全閉状態となっているときにのみ前記縦枠側に対するロック状態の自動解除と前記２枚重ね部側に対する自動ロックとを行うことができる。
【００１４】
したがって、前記昇降サッシ窓の全体を下限位置にまで引き下げない限りは、全閉状態にある前記引違い戸側の開移動ができず、前記引違い戸側を全閉状態としない限りは、前記昇降サッシ窓自体を下限位置から引き上げることができないので、作業者が誤って前記引違い戸を開状態にしたままで前記昇降サッシ窓を昇降させることをなくして、昇降サッシ窓の開度に応じた設計上の風量と実際の風量との間の安定した調整状態の維持と、封入装置自体の能力の保証とを容易に、かつ、確実に実現することができる。
【図面の簡単な説明】
【００１５】
【図１】本発明の一例を示す正面図。
【図２】図１において左側の縦サッシ枠側で隣り合って配置されている２枚の引違い戸との関係で配設されている交互ロック機構を示す説明図であり、そのうちの（ａ）は、長さ方向での一部を省略した正面図を、（ｂ）は、（ａ）に対応させた平面図を、（ｃ）は、（ａ）の右側面図をそれぞれ示す。
【発明を実施するための形態】
【００１６】
本発明において昇降サッシ窓１１は、図１に示すように下限位置にまで引き下げた際、封入装置６１が本体部６２に備える処理室６３の前面開口部６４を閉止できるように、本体部６２に対し昇降自在となって設置されている。
【００１７】
図１によれば、昇降サッシ窓１１が備える左右の縦サッシ枠１２，１３と上下の横サッシ枠１４，１５とで画成される囲枠内には、左側の縦サッシ枠１２側に隣り合って配置される２枚の引違い戸１６，１７と、右側の縦サッシ枠１３側に隣り合って配置される２枚の引違い戸１８，１９との計４枚が装着されている。なお、これら４枚の引き違い戸１６，１７，１８，１９が図１に示すように全て閉止された全閉状態にあるときは、左側の縦サッシ枠１２側に隣り合って配置される２枚の引き違い戸１６，１７相互の間と、右側の縦サッシ枠１３側に隣り合って配置される２枚の引き違い戸１８，１９相互の間とにそれぞれ二枚重ね部２０が形成され、中央部に位置する２枚の引き違い戸１７，１８が相互に当接する配置関係をとっている。
【００１８】
すなわち、昇降サッシ窓１１は、左側の縦サッシ枠１２側に一方の縦辺部１６ａを位置させて配置される１枚目の引違い戸１６と、該引違い戸１６の他方の縦辺部１６ｂ側とその一方の縦辺部１７ａ側とが対面する二枚重ね部２０を形成して配置される２枚目の引違い戸１７と、該引違い戸１７の他方の縦辺部とその一方の縦辺部１７ａが閉止時に当接するように配置される３枚目の引違い戸１８と、該引違い戸１８の他方の縦辺部１６ｂ側とその一方の縦辺部１７ａ側とが対面する二枚重ね部２０を形成して配置される４枚目の引違い戸１９とを具備させることで形成されている。
【００１９】
また、同図によれば、左側の縦サッシ枠１２側に隣り合って配置される２枚の引違い戸１６，１７と、右側の縦サッシ枠１３側に隣り合って配置される２枚の引違い戸１８，１８とは、個別に配設された交互ロック機構３２を介して各別に開閉規制できるとともに、昇降サッシ窓１１自体の昇降規制もできるようになっている。
【００２０】
すなわち、昇降サッシ窓１１は、該昇降サッシ窓１１を前面開口部６４の下限位置にまで引き下げた際には全閉状態にある引違い戸１６，１７相互の二枚重ね部２０側と、引違い戸１８，１９相互の二枚重ね部２０側とに対するロック状態の自動解除と前面開口部５４の縦枠５５側に対する昇降サッシ窓１１自体の自動ロックとが行われ、引違い戸１６，１７，１８，１９が全閉状態となっているときにのみ縦枠６５側に対するロック状態の自動解除と二枚重ね部２０，２０側に対する自動ロックとを行って下限位置からの引き上げを可能とする交互ロック機構３２を備えている。
【００２１】
図２は、図１において左側の縦サッシ枠１２側で隣り合って配置されている２枚の引違い戸１６，１７との関係で配設されている交互ロック機構３２を示す説明図であり、そのうちの（ａ）は、長さ方向での一部を省略した正面図を、（ｂ）は、（ａ）に対応させた平面図を、（ｃ）は、（ａ）の右側面図をそれぞれ示す。
【００２２】
同図によれば、交互ロック機構３２は、下側に位置する横サッシ枠１４上に横移動可能に配設される連結杆３３と、昇降サッシ窓１１を下限位置にまで引き下げた際には全閉状態にある引違い戸１６，１７相互における二枚重ね部２０側に対するロック状態の自動解除と前面開口部６４の縦枠６５に設けられている凹部６６との関係で昇降サッシ窓１１自体の自動ロックを可能とする引違い戸用ロック手段３４と、引違い戸１６，１７が全閉状態となっているときにのみ縦枠６５に設けられている凹部６６との関係でロック状態の自動解除と二枚重ね部２０側に対する自動ロックとを行って下限位置からの引き上げを可能とする昇降サッシ窓用ロック手段４４とで構成されている。なお、図１と図２とにおける符号２４は、前面開口部６４内へと渦流を生じさせないように空気を円滑に入させるための流路規制把手を、図２（ｃ）における符号６７は、昇降サッシ窓１１を下限位置よりやや上に位置させた際に該昇降サッシ窓１１との間で処理室の前面開口部６４を仕切る天板部をそれぞれ示す。
【００２３】
これらのうち、連結杆３３は、全閉状態にある引違い戸１６，１７の二枚重ね部２０の近傍位置を始端３３ａ側とし、その終端３３ｂ側が一方である左側の縦サッシ枠１２側へと至る長さを備え、下側に位置する横サッシ枠１４上に横移動可能に配設されている。なお、連結杆３３は、図示は省略してあるが、横サッシ枠１４に配設された略逆Ｕ字形を呈する保持金具（図示せず）を介して浮き上がらないようにして配置されている。
【００２４】
引違い戸用ロック手段３４は、連結杆３３の始端３３ａ側と隣り合う近傍位置の横サッシ枠１４上に固定配置される固定片部３５と、該固定片部３５側にその基端部３６ａが軸支された一側可動腕部３６と、連結杆３３の始端３３ａ側にその基端部３７ａが軸支された他側可動腕部３７との交差部３８を軸支してそれぞれの頂端部３６ｂ，３７ｂ側を基台部３９に軸支させ、該基台部３９の頂面３９ａに二枚重ね部２１側の一方の引違い戸１６の下端面２０に設けられた凹部２２と他方の引違い戸１７の下端面２０に設けられた凹部２３とへの全閉時の掛止を可能に設けられた一対の突起部４０，４１とを備えて構成されている。
【００２５】
昇降サッシ窓用ロック手段４４は、連結杆３３の終端３３ｂ側にその長さ方向に沿わせての回動を自在に軸支された例えば車輪などからなる回動体４５と、該回動体４５を連結杆３３を介して縦枠５５方向に常時突出付勢されて昇降サッシ窓１１が下限に位置するときにのみ縦枠６５側に設けられている凹部６６への回動体４５の入り込みを可能とした押圧付勢部４８とを備えて構成されている。
【００２６】
この場合、回動体４５は、連結杆３３の終端３３ｂ側と連結させたブラケット４６に支軸４６を介して回動自在に軸支されている。
【００２７】
また、押圧付勢部４８は、縦サッシ枠１２の内側近傍に位置する連結杆３３上にその長さ方向に沿わせて配置される水平片部５０と、該水平片部５０の左端側を直立させた起立片部５１とからなる略倒Ｌ字形を呈するばね座４９を連結杆３３に固定配置するとともに、基端側に鍔部５４を備えるボルト材などからなる支杆５３に圧縮ばね５５を挿通配置した上で、支杆５３の先端側をばね座４９の起立片部５１に設けられている通孔５２を経て縦サッシ枠１２側にナット５６で固定するなどして移動不能に固着させることで構成されている。
【００２８】
つまり、押圧付勢部４８は、ばね座４９の起立片部５１と支杆５３の鍔部５４との間に配置させた圧縮ばね５５の付勢力により、回動体４５を常に縦サッシ枠１２方向に押し付けることができるようになっている。
【００２９】
次に、上記構成からなる本発明の作用・効果を図示例に基づいて説明すれば、例えば図１に示すように昇降サッシ窓１１が封入装置６１の処理室６３の前面開口部６４を全閉状態とする下限位置にまで引き下げられた際には、引違い戸１６，１７側の交互ロック機構３２と、引違い戸１８，１９側の交互ロック機構３２とのそれぞれが、引違い戸１６，１７，１８，１９の開移動ができ、昇降サッシ窓１１自体の引き上げができなくなる。
【００３０】
すなわち、各交互ロック機構３２は、それぞれの引違い戸用ロック手段３４が引違い戸１６，１７，１８，１９とのロック状態を解除して開移動できるようにし、それぞれの昇降サッシ窓用ロック手段４４が前面開口部６４の各縦枠６５に対し自動ロックをかけて昇降サッシ窓１１自体を引き上げることができなくなるように作動する。
【００３１】
これらを図２に基づいてさらに詳しく説明すれば、図２（ａ）に示されているように、昇降サッシ窓１１がその下限位置である前面開口部６４を全閉状態とする位置にまで至らない開状態にある場合には、昇降サッシ窓用ロック手段４４を構成する回動体４５が前面開口部６４の縦枠６５側に単に圧接した状態となって例えば下限位置方向へと引き下げることができることになる。
【００３２】
そして、昇降サッシ窓１１がこのように途中位置にあるときは、、全閉状態にある引違い戸１６の下端面１６ａの凹部２１には引違い戸用ロック手段３４を構成する基台部３９が備える一方の突起部４０が、引違い戸１７の下端面１７ａの凹部２２には基台部３９が備える他方の突起部４０がそれぞれ入り込んで掛止されているので、いずれも開操作することができないことになる。
【００３３】
一方、昇降サッシ窓１１が下限位置にまで引き下げられたときは、圧縮ばね５５の付勢力により連結杆３３が前面開口部６４の縦枠６５側へと押し込まれる結果、、その終端３３ｂ側に備える昇降サッシ窓用ロック手段４４を構成する回動体４５は縦枠６５が備える凹部６６へと入り込んで自動ロックされる。
【００３４】
このような連結杆３３の横移動は、引違い戸用ロック手段３４を構成する一側可動腕部３６の基端部３６ａと他側可動腕部３７の基端部３７ａとのそれぞれが固定片部３５に連結されていることから、一側可動腕部３６と他側可動腕部３７とを交差部３８を介してその座高が低くなる方向に従動させて基台部３９の位置も低くなる結果、該基台部３９上の突起部４０，４１も引違い戸１７，１８の下端面１７ａ，１８ａの凹部２２，２２との間の掛合状態を解消して自動的にロック解除させる。
【００３５】
つまり、昇降サッシ窓１１が下限位置にまで引き下げられたときは、昇降サッシ窓１１自体の引き上げができなくなるとともに、引違い戸１６，１７を開操作することはできることになる。
【００３６】
かくして、引違い戸１６，１７を開けて必要な処理作業を行った後に昇降サッシ窓１１自体を引き上げようとするときは、昇降サッシ窓用ロック手段４４によるロック状態を解除する必要があるものの、引違い戸１６，１７が開状態にある限り、引違い戸１７，１８の下端面１７ａ，１８ａの凹部２２，２２に突起部４０，４１を入り込ませることはできないので、一側可動腕部３６と他側可動腕部３７とに邪魔されて回動体４５と縦枠６５の凹部６６との間のロック状態を解消させる方向に連結杆３３を横移動させることができない。
【００３７】
つまり、昇降サッシ窓１１自体をその下限位置から引き上げようとするときは、引違い戸１７，１８を全閉状態として引違い戸１７，１８の下端面１７ａ，１８ａの凹部２２，２２に突起部４０，４１を入り込ませない限り、回動体４５を縦枠６５の凹部６６内から脱出させる方向に連結杆３３を横移動させることができないので、昇降サッシ窓１１自体の昇降も常に引違い戸１７，１８を全閉状態とした上でしか行えなくなる。
【００３８】
すなわち、本発明によれば、封入装置６１が本体部６２に備える処理室６３の前面開口部６４を開閉すべく設置される昇降サッシ窓１１は、下限位置にまで引き下げた際には全閉状態にある引違い戸１６，１７相互、および引違い戸１８，１９相互における二枚重ね部２０側に対するロック状態の自動解除と前面開口部６４の縦枠６５側に対する昇降サッシ窓１１自体の自動ロックとを行う交互ロック機構３２，３２を備えているので、引違い戸１６，１７，１８，１９が全閉状態となっているときにのみ縦枠６５側に対するロック状態の自動解除と二枚重ね部２０側に対する自動ロックとを行うことができることになる。
【００３９】
したがって、昇降サッシ窓１１の全体を下限位置にまで引き下げない限りは、全閉状態にある引違い戸１６，１７，１８，１９側の開移動ができず、引違い戸１６，１７，１８，１９側を全閉状態としない限りは、昇降サッシ窓１１自体を下限位置から引き上げることができないので、作業者が誤って引違い戸１６，１７，１８，１９を開状態にしたままで昇降サッシ窓１１を昇降させることをなくして、該昇降サッシ窓１１の開度に応じた設計上の風量と実際の風量との間の安定した調整状態の維持と、封入装置自体の能力の保証とを容易に、かつ、確実に実現することができることになる。
【００４０】
以上は、本発明を図示例に従って説明したものであり、その具体的な内容は、これに限定されるものではない。例えば、昇降サッシ窓１１は、２枚の引き違い戸を備えるものであってもよく、この場合は、例えば左側の縦サッシ枠１２側に交互ロック機構３２が配設され、右側サッシ枠１３側に昇降案内用のガイド輪を配置することで、昇降サッシ窓１１の昇降を位置規制することになる。
【符号の説明】
【００４１】
１１  昇降サッシ窓
１２，１３  縦サッシ枠
１４，１５  横サッシ枠
１６，１７，１８，１９  引違い戸
１６ａ，１７ａ，１８ａ，１９ａ  （一方の）縦辺部
１６ｂ，１７ｂ，１８ｂ，１９ｂ  （他方の）縦辺部
２０  下端面
２１  二枚重ね部
２２，２３  凹部
３２  交互ロック機構
３３  連結杆
３３ａ  始端
３３ｂ  終端
３４  引違い戸用ロック手段
３５  固定片部
３６  一側可動腕部
３６ａ  基端部
３３ｂ  頂端部
３７  他側可動腕部
３７ａ  基端部
３７ｂ  頂端部
３８  交差部
３９  基台部
４０，４１  突起部
４４  昇降窓用ロック手段
４５  回動体
４６  ブラケット
４７  支軸
４８  押圧付勢部
４９  ばね座
５０  水平片部
５１  起立片部
５２  通孔
５３  支杆
５４  鍔部
５５  圧縮ばね
５６  ナット
６１  封入装置
６２  本体部
６３  処理室
６４  前面開口部
６５  縦枠
６６  凹部
６７  天板部
【図１】
0005518593.tif 000002
【図２】
0005518593.tif 000003